(57)【特許請求の範囲】
【請求項１】
方立と無目で形成した開口枠部にパネルを装着したカーテンウォールであって、
前記方立の室外側押え部の室内側面と無目の室外側面との間に無目スペーサを設けて無目のパネル荷重による下向きの転びを防止するようにし、
前記無目スペーサは、無目の室外側面と方立の室外側押え部の室内側面とに接触して無目に負荷するパネル荷重を支持する荷重支持部と、この荷重支持部の見付け方向一側に見付け方向に向けて設けられた保持部を備え、
前記保持部は前記荷重支持部に対して見込み方向に弾性変形し、かつ前記方立の室外側押え部の室内側面に設けた突部と係合する凹溝を有し、荷重支持部を無目の室外側面と方立の室外側押え部の室内側面との間に保持することを特徴とするカーテンウォール。
【請求項２】
前記保持部は、荷重支持部に見付け方向に向けて設けたヒレ片を有し、
このヒレ片は、見込み方向に弾性変形すると共に、方立の室外側押え部の突部に係合する凹溝を有する請求項１記載のカーテンウォール。
【請求項３】
前記保持部は、荷重支持部に見付け方向に向けて設けた見込み方向一対のヒレ片を有し、
この一対のヒレ片は見込み方向に弾性変形し、少なくとも一方のヒレ片に方立の室外側押え部の突部に係合する凹溝を有する請求項１記載のカーテンウォール。
【請求項４】
前記荷重支持部は、その見込み方向の少なくとも一方の側面に、見付け方向に向かう突起を複数有している請求項１〜３いずれか１記載のカーテンウォール。
【請求項５】
請求項１〜４いずれか１項記載の無目スペーサ。
【発明の詳細な説明】
【技術分野】
【０００１】
本発明は、方立と無目で形成した開口枠部にガラスなどのパネルを装着したカーテンウォール及び方立と無目との間に設ける無目スペーサに関する。
【背景技術】
【０００２】
左右の方立間に渡って無目を連結し、その左右の方立と上下の無目とで開口枠部を形成し、その開口枠部にガラスを装着した方立タイプのカーテンウォールが知られている（特許文献１参照）。
かかるカーテンウォールにおいては、方立の室内側支持壁と室外側押え壁との間に無目の長手方向の端部を挿入し、方立と無目を無目ブラケットで連結している。
【先行技術文献】
【特許文献】
【０００３】
【特許文献１】実開昭６３−４４９１６号公報
【発明の概要】
【発明が解決しようとする課題】
【０００４】
前述したカーテンウォールは、開口枠部に装着したガラスの下端が、開口枠部を形成する下の無目にスペーサを介して載置され、そのガラスの荷重を下の無目で支持するようになっている。
一方、無目と方立を連結する無目ブラケットはガラスよりも室内側寄りに設けてあるので、無目の方立ヘの連結部よりも室外側寄りにガラス荷重が負荷し、無目はガラス荷重により連結部を支点として下向きに回転変位、つまり下向きに転ぼうとする。
このように無目が下向きに転ぶと、方立の室内側支持部と無目との間に隙間が生じると共に、方立の室外側押え部と無目との間の隙間が小さくなり、水密性などに悪影響を及ぼすことになる。
このことを解消するために、本発明者等は、方立の室外側押え部と無目との間に無目スペーサを設け、この無目スペーサで無目の下向きの転びを防止するようにしたが、ガラスを複層ガラスとしたり、開口枠部を大きくすると、ガラス荷重が増大し、無目を下向きに転ばす力が大きくなるので、前述の無目スペーサが大きく圧縮変形し、無目が下向きに大きく転び、方立の室内側支持部と無目との間に大きな隙間が生じたり、方立の室外側押え部と無目との間の隙間が小さくなり、無目スペーサを設けた意味がなくなった。
この原因は、無目スペーサを軟質の弾性材として方立の室外側押え部と無目との間に押し込み易くしたためで、その無目スペーサを硬質材料で作製したところ、ガラス負荷が大きくとも無目スペーサの圧縮変形代が小さく無目が下向きに大きく転ぶことがなかったが、その反面、方立の室外側押え部と無目との間に無目スペーサを押し込み、見付け方向の所定の位置で保持することが大変困難であった。
【０００５】
本発明の目的は、方立の室外側押え部と無目との間に無目スペーサを簡単に押し込んで見付け方向の所定の位置に落下しないように保持することができると共に、無目に大きなパネル荷重が負荷しても下向きに大きく転ぶことを無目スペーサで防止できるようにしたカーテンウォール及び、その無目スペーサとすることである。
【課題を解決するための手段】
【０００６】
本発明は、方立と無目で形成した開口枠部にパネルを装着したカーテンウォールであって、
前記方立の室外側押え部の室内側面と無目の室外側面との間に無目スペーサを設けて無目のパネル荷重による下向きの転びを防止するようにし、
前記無目スペーサは、無目の室外側面と方立の室外側押え部の室内側面とに接触して無目に負荷するパネル荷重を支持する荷重支持部と、この荷重支持部の見付け方向一側に見付け方向に向けて設けられた保持部を備え、
前記保持部は前記荷重支持部に対して見込み方向に弾性変形し、かつ前記方立の室外側押え部の室内側面に設けた突部と係合する凹溝を有し、荷重支持部を無目の室外側面と方立の室外側押え部の室内側面との間に保持することを特徴とするカーテンウォールである。
【０００７】
本発明においては、前記保持部は、荷重支持部に見付け方向に向けて設けたヒレ片を有し、
このヒレ片は、見込み方向に弾性変形すると共に、方立の室外側押え部の突部に係合する凹溝を有するようにできる。
このようにすれば、無目の室外側面と方立の室外側押え部の室内側面との間にヒレ片を挿入することで、そのヒレ片が見込み方向に弾性変形して凹溝が突部に係合するので、無目スペーサを無目と方立の室外側押え部との間に押し込み易いと共に、凹溝と突部が係合し易いから、無目スペーサをより簡単に押し込んで見付け方向の所定の位置に保持することができる。
【０００８】
本発明においては、前記保持部は、荷重支持部に見付け方向に向けて設けた見込み方向一対のヒレ片を有し、
この一対のヒレ片は見込み方向に弾性変形し、少なくとも一方のヒレ片に方立の室外側押え部の突部に係合する凹溝を有するようにできる。
このようにすれば、一対のヒレ片が見込み方向に反発しあうことで、一方のヒレ片の凹溝が突部に確実にしっかりと係合するから、無目スペーサを見付け方向の所定の位置に確実に、しっかりと保持することができる。
しかも、方立の室外側押え部の室内側面と無目の室外側面との間の隙間が設定の値に対して誤差がある場合には、一対のヒレ片の弾性変形で誤差を吸収し、凹溝と突部を確実に係合できる。
【０００９】
本発明においては、前記荷重支持部は、その見込み方向の少なくとも一方の側面に、見付け方向に向かう突起を複数有しているようにできる。
このようにすれば、方立の室外側押え部の室内側面と無目の室外側面との間の隙間が設定の値に対して誤差がある場合に、突起によって誤差を吸収してシール材を装着するための見込み方向の目地幅を確保できる。
【００１０】
本発明の無目スペーサは、請求項１〜４いずれか１項記載の無目スペーサである。
【発明の効果】
【００１１】
本発明によれば、保持部を見込み方向に弾性変形しながら荷重支持部を方立の室外側押え部の室内側面と無目の室外側面との間に押し込むことができるから、無目スペーサを方立の室外側押え部と無目との間に簡単に押し込むことができる。
また、保持部の凹溝が方立の室外側押え部の突部に係合することで押し込み位置が規制されると共に、外れないように保持されるから、無目スペーサを見付け方向の所定の位置に、落下しないように保持することができる。
また、無目に大きなパネル荷重が負荷しても荷重支持部が大きく圧縮変形することがなく、無目が下向きに大きく転ぶことを無目スペーサで防止できる。
【図面の簡単な説明】
【００１２】
【図１】カーテンウォールの一部概略外観図である。
【図２】方立と無目の斜視図である。
【図３】図１のＡ−Ａ拡大詳細断面図である。
【図４】図１のＢ−Ｂ拡大詳細断面図である。
【図５】方立と無目の連結部の横断面図である。
【図６】無目スペーサの斜視図である。
【発明を実施するための形態】
【００１３】
図１に示すように、左右に隣接した方立１間に無目２を連結し、その左右の方立１と上下の無目２とで開口枠部３を形成し、その開口枠部３にパネル、例えばガラス４を装着して方立タイプのカーテンウォールとしてある。
【００１４】
方立１は図２に示すように、見込み方向室内側の基部１ａと、見込み方向室外側の無目取付部１ｂを有している。
この無目取付部１ｂは、見付け方向に向かう室内側板１０と室外側板１１を見込み方向に向かう連結板１２で一体に連結し、見付け方向両側に開口した左右一対の無目取付用の凹部１３を有した横断面ほぼＨ字形状で、その室内側板１０の連結板１２を境とした見付け方向両側の左右部分が室内側支持部１４で、室外側板１１の連結板１２を境とした見付け方向両側の左右部分が室外側押え部１５である。
そして、左右一対の凹部１３に無目２の長手方向端部がそれぞれ挿入されて図３、図４に示すように無目ブラケット５で連結板１２にそれぞれ連結される。
【００１５】
無目２は、室内側部２０と、室外側部２１と、この室内側部２０と室外側部２１を連結する連結部２２とで上向き凹部２３と下向き凹部２４を有する形状で、その室外側部２１に無目カバー２５が取り付けてある。
この実施の形態では、室外側部２１は連結部２２と一体の本体２１ａと、連結部２２に取り付けた押縁２１ｂを備え、その本体２１ａの室外側面に上下の受片２６が長手方向に連続して有し、この上下の受片２６に無目カバー２５の上下の取付片２５ａが係合して無目カバー２５が取り付けてある。
【００１６】
無目２の長手方向端部が方立１の凹部１３内に挿入され、その無目２の室内側面２ａ（室内側部２０の室内側面）が室内側支持部１４に接すると共に、室外側面２ｂ（室外側部２１の室外側面）と室外側押え部１５の室内側面１５ａとの間に無目スペーサ６が設けてある。
この無目スペーサ６を設けるために前述した受片２６の長手方向端部寄り部分が除去してあると共に、無目カバー２５は方立１の室外側押え部１５と見付け方向に離隔している。
【００１７】
前記無目スペーサ６は、パネル荷重、例えばガラス荷重を支持する荷重支持部３０と、この荷重支持部３０を室外側押え部１５の室内側面１５ａと無目２の室外側面２ｂとの間に保持する保持部４０を有している。
この保持部４０は荷重支持部３０の見付け方向一側に、見付け方向に向けて一体に設けられ、荷重支持部３０に対して見込み方向（室内外側方向）に弾性変形し易いように、その見込み寸法が荷重支持部３０の見込み寸法よりも小さい。
つまり、荷重支持部３０の見込み寸法は見込み方向の外力で圧縮変形し難くなるように大きいが、保持部４０は見込み方向の外力で荷重支持部３０に対して見込み方向に弾性変形し易いように、見込み寸法は小さい。
【００１８】
図３と図５に示すように、方立１の室外側押え部１５の室内側面１５ａに室内側に向けて突出した突部１６を長手方向に連続して有し、この突部１６は無目２の室外側面２ｂと隙間を有して相対向している。
無目スペーサ６の保持部４０には室外側に開口した凹溝４０ａを有し、無目スペーサ６を見付け方向に押し込んだときに、この凹溝４０ａが前述の突部１６に係合し、無目スペーサ６の押し込みを規制すると共に、無目スペーサ６が外れ難くし、無目スペーサ６を見付け方向の所定の位置に落下しないように保持できるようにしてある。
【００１９】
このようであるから、方立１の無目取付部１ｂの凹部１３に無目２の長手方向端部を挿入し、無目ブラケット５で無目２を方立１の連結部１２に連結し、無目２の室内側面２ａを室内側支持部１４に接触させ、無目２の室外側面２ｂと方立１の室外側押え部１５の室内側面１５ａとの間に隙間を形成する。
図５に仮想線で示すように無目スペーサ６を、保持部４０が前述の隙間Ｓに向かうように設け、この状態から無目スペーサ６を見付け方向に移動して隙間Ｓに押し込む。
このとき、保持部４０の先端部が方立１の室外側押え部１５に接して室内側に向けて弾性変形するから、保持部４０が荷重支持部３０の押し込みを先導（ガイド）するので、方立１の室外側押え部１５の室内側面１５ａと無目２の室外側面２ｂとの間に無目スペーサ６を簡単に押し込むことができる。
【００２０】
前述のようにして無目スペーサ６を順次押し込むことで、保持部４０の先端部が突部１６に接して室内側に向けて弾性変形して凹溝４０ａが突部１６に係合し、無目スペーサ６の押し込みを規制するから、無目スペーサ６を見付け方向の所定の位置まで押し込んだことを作業者が感知できる。
しかも、凹溝４０ａと突部１６が係合することで無目スペーサ６が外れて落下しないようにできる。
このようであるから、無目スペーサ６を見付け方向の所定の位置に落下しないように保持することができる。
【００２１】
前述のようにして無目スペーサ６を設けることで、荷重支持部３０が無目２の室外側面２ｂと方立１の室外側押え部１５の室内側面１５ａに接触し、無目２に大きなパネル荷重が負荷し、下向きに転ばす大きな力が作用した場合に、その力を荷重支持部３０で支持して大きく圧縮変形しないので、無目２が下向きに大きく転ぶことを無目スペーサ６で防止できる。
これにより、無目２の室内側面２ａと方立１の室内側支持部１４との間に隙間が生じることがない。
この実施の形態では、圧縮変形量を少なくするために、荷重支承部３０を樹脂材料としてある。
【００２２】
また、左右に隣接した方立１を平行に対して若干角度を有するようにし、左右に隣接したパネル４が一直線に対して若干角度を有するようにした平面多角形のカーテンウォールにおいては、方立１と無目２が直角に対して斜めとなる。例えば、図５に仮想線で示すように無目２の室内側面２ａと方立１の室内側支持部１４、無目２の室外側面２ｂと方立１の室外側押え部１５が平行ではなくなる。
この場合には、無目２の室外側面２ｂが保持部４０と離れ、荷重支持部３０にのみ接触することになるが、前述のように保持部４０の凹溝４０ａと突部１６が係合しているから、無目スペーサ６が落下することがない。
【００２３】
図３に示すように、方立１の室外側押え部１５の室内側面１５ａと無目２の室外側面２ｂとの間はシール材、例えば湿式のシール材７でシールされる。符号８はバックアップ材である。
このシール材７は図４に示すようにパネル４の室外側面に接している。
前述した無目スペーサ６の荷重支持部３０よりも方立１の室外側押え部１５の端面が見付け方向に突出し、前述のシール材７を充填するための見付け方向の隙間を形成している。
このようであるから、無目スペーサ６を見付け方向の所定の位置に設けることで、前述の見付け方向の隙間の見付け方向の寸法を所定の値とすることができる。
【００２４】
無目スペーサ６の具体形状を図６に基づいて説明する。
荷重支持部３０は、上面３１と、下面３２と、見込み方向の一側面３３、他側面３４と、見付け方向の一側面３５、他側面３６で囲まれた縦長の直方体形状で、その見込み方向の他側面３４に突起３７が見付け方向に向けて、上下方向に間隔を置いて複数設けてあると共に、この上下の突起３７間に他側面３４に開口した凹部３８を有している。
【００２５】
このようであるから、無目２の室外側面２ｂと方立１の室外側押え部１５の室内側面１５ａとの間の隙間が、設定した値に対して若干の誤差がある場合に、前述した突起３７が、その誤差を吸収して荷重支持部３０を方立１の室外側押え部１５の室内側面１５ａと無目２の室外側面２ｂとの間にしっかりと設けることができ、前述のシール材７を装着するための見込み方向の目地幅を確保できる。
前記突起３７は一側面３３に設けても良いし、一側面３３と他側面３４の両方に設けても良い。
つまり、突起３７は荷重を支持部３０の見込み方向の少なくとも一方の側面に設ければ良い。
【００２６】
保持部４０は、荷重支持部３０の見付け方向の他側面３６に、見付け方向他側方に向けて設けた見込み方向一対のヒレ片４１を有している。
このヒレ片４１は、板状のヒレ本体４２と、その見付け方向先端部の先端膨出部４３と、見付け方向中間の中間膨出部４４を有し、その先端膨出部４３と中間膨出部４４との間に溝４５を形成し、この溝４５が前述の凹溝４０ａで、中間膨出部４４が突部１６に接することで無目スペーサ６の押し込み位置を規制する。
前述の先端膨出部４３は平面くの字形状で、一対のヒレ片４１の先端部がハの字形状となり、その一対のヒレ片４１を、前述の方立１の室外側押え部１５の室内側面１５ａと無目２の室外側面２ｂとの間に押し込み易くしてある。
【００２７】
このようであるから、無目スペーサ６を押し込むときに、一方のヒレ片４１が無目２の室外側面２ｂに接し、他方のヒレ片４１が方立１の室外側押え部１５の室内側面１５ａに接して室内側に向けて弾性変形して、一対のヒレ片４１が見込み方向に反発しあうので溝４５（凹溝４０ａ）が突部１６に確実に、しっかりと係合し、無目スペーサ６をしっかりと保持できる。また、前述の隙間が設定した値に対して誤差がある場合には、そのヒレ片４１の弾性変形量が変化して誤差を吸収し、溝４５（凹溝４０ａ）を突部１６に係合することができる。
【００２８】
前述の実施の形態では、保持部４０を一対のヒレ片４１としたが、１つのヒレ片で保持部４０としても良い。
【符号の説明】
【００２９】
１…方立、２…無目、２ａ…室内側面、２ｂ…室外側面、３…開口枠部、４…ガラス（パネル）、５…無目ブラケット、６…無目スペーサ、１４…室内側支持部、１５…室外側押え部、１５ａ…室内側面、１６…突部、３０…荷重支持部、３７…突起、４０…保持部、４０ａ…凹溝、４１…ヒレ片、４５…溝部（凹溝）。
【図１】
0005769201.tif 000002
【図２】
0005769201.tif 000003
【図３】
0005769201.tif 000004
【図４】
0005769201.tif 000005
【図５】
0005769201.tif 000006
【図６】
0005769201.tif 000007